(57)【要約】【構成】ＣＰＵ２６は、露光操作を受け付けたとき互いに異なる複数の露光量でイメージセンサ１６を露光し、生成された複数の電子画像をイメージセンサ１６から取得する。ＣＰＵ２６はまた、取得された複数の電子画像のいずれか１つを再生する。ＣＰＵ２６は、再生された電子画像の一部を指定するズーム操作を受け付け、取得された複数の電子画像のうちズーム操作によって指定された部分画像の明るさが適正値を示す電子画像を再生処理の対象として指定する。【効果】再生に関する操作性の向上。【選択図】図２
2014007560.tif 000002
【特許請求の範囲】
【請求項１】
露光操作を受け付けたとき互いに異なる複数の露光量で撮像手段を露光する第１露光手段、
前記第１露光手段の処理によって生成された複数の電子画像を前記撮像手段から取得する取得手段、
前記取得手段によって取得された複数の電子画像のいずれか１つを再生する再生手段、
前記再生手段によって再生された電子画像の一部を指定する指定操作を受け付ける受け付け手段、および
前記取得手段によって取得された複数の電子画像のうち前記指定操作によって指定された部分画像の明るさが適正値を示す電子画像を前記再生手段の対象として指定する指定手段を備える、電子カメラ。
【請求項２】
前記第１露光手段によって注目される複数の露光量は基準露光量を含み、
前記再生手段は前記基準露光量に対応する電子画像を初期的に再生する初期再生手段を含む、請求項１記載の電子カメラ。
【請求項３】
前記露光操作に関わらず撮像手段を露光する第２露光手段、
前記第２露光手段の処理によって生成された電子画像に基づいて露光条件を調整する調整手段、および
前記調整手段の調整結果に基づいて前記基準露光量を設定する設定手段をさらに備える、請求項２記載の電子カメラ。
【請求項４】
前記指定操作によって指定された部分画像の位置およびサイズを前記指定手段の処理に関連して検出する検出手段をさらに備え、
前記再生手段は前記指定手段によって指定された電子画像のうち前記検出手段によって検出された位置およびサイズによって定義される部分画像を再生する、請求項１ないし３のいずれかに記載の電子カメラ。
【請求項５】
前記再生手段は前記検出手段によって検出された位置およびサイズによって定義される部分画像を表示領域に対応する倍率で拡大表示する拡大手段を含む、請求項４記載の電子カメラ。
【請求項６】
撮像手段を備える電子カメラのプロセッサに、
露光操作を受け付けたとき互いに異なる複数の露光量で前記撮像手段を露光する第１露光ステップ、
前記第１露光ステップの処理によって生成された複数の電子画像を前記撮像手段から取得する取得ステップ、
前記取得ステップによって取得された複数の電子画像のいずれか１つを再生する再生ステップ、
前記再生ステップによって再生された電子画像の一部を指定する指定操作を受け付ける受け付けステップ、および
前記取得ステップによって取得された複数の電子画像のうち前記指定操作によって指定された部分画像の明るさが適正値を示す電子画像を前記再生ステップの対象として指定する指定ステップを実行させるための、画像処理プログラム。
【請求項７】
撮像手段を備える電子カメラによって実行される画像処理方法であって、
露光操作を受け付けたとき互いに異なる複数の露光量で前記撮像手段を露光する第１露光ステップ、
前記第１露光ステップの処理によって生成された複数の電子画像を前記撮像手段から取得する取得ステップ、
前記取得ステップによって取得された複数の電子画像のいずれか１つを再生する再生ステップ、
前記再生ステップによって再生された電子画像の一部を指定する指定操作を受け付ける受け付けステップ、および
前記取得ステップによって取得された複数の電子画像のうち前記指定操作によって指定された部分画像の明るさが適正値を示す電子画像を前記再生ステップの対象として指定する指定ステップを備える、画像処理方法。
【請求項８】
撮像手段、および
メモリに保存された内部制御プログラムに従う処理を実行するプロセッサを備える電子カメラに供給される外部制御プログラムであって、
露光操作を受け付けたとき互いに異なる複数の露光量で前記撮像手段を露光する第１露光ステップ、
前記第１露光ステップの処理によって生成された複数の電子画像を前記撮像手段から取得する取得ステップ、
前記取得ステップによって取得された複数の電子画像のいずれか１つを再生する再生ステップ、
前記再生ステップによって再生された電子画像の一部を指定する指定操作を受け付ける受け付けステップ、および
前記取得ステップによって取得された複数の電子画像のうち前記指定操作によって指定された部分画像の明るさが適正値を示す電子画像を前記再生ステップの対象として指定する指定ステップを前記内部制御プログラムと協働して前記プロセッサに実行させるための、外部制御プログラム。
【請求項９】
撮像手段、
外部制御プログラムを受信する受信手段、および
前記受信手段によって受信された外部制御プログラムとメモリに保存された内部制御プログラムとに従う処理を実行するプロセッサを備える電子カメラであって、
前記外部制御プログラムは、
露光操作を受け付けたとき互いに異なる複数の露光量で前記撮像手段を露光する第１露光ステップ、
前記第１露光ステップの処理によって生成された複数の電子画像を前記撮像手段から取得する取得ステップ、
前記取得ステップによって取得された複数の電子画像のいずれか１つを再生する再生ステップ、
前記再生ステップによって再生された電子画像の一部を指定する指定操作を受け付ける受け付けステップ、および
前記取得ステップによって取得された複数の電子画像のうち前記指定操作によって指定された部分画像の明るさが適正値を示す電子画像を前記再生ステップの対象として指定する指定ステップを前記内部制御プログラムと協働して実行するプログラムに相当する、電子カメラ。
【発明の詳細な説明】
【技術分野】
【０００１】
この発明は、電子カメラに関し、特に複数の画像を連続して取り込む電子カメラに関する。
【背景技術】
【０００２】
この種のカメラの一例が、特許文献１に開示されている。この背景技術によれば、撮像手段は、ズーム比率可変レンズが予め固定的に設定された複数のズーム比率に対応した各状態に実質的に至る毎に、当該時点でのズーム比率に対応した撮像動作を行う。レンズ駆動手段は、上記撮像手段による撮像動作の終了毎に、直ちに上記ズーム比率可変レンズを当該次のズーム比率に対応した状態まで駆動する。
【先行技術文献】
【特許文献】
【０００３】
【特許文献１】特開平４−２１１５８１号公報
【発明の概要】
【発明が解決しようとする課題】
【０００４】
しかし、背景技術では、操作者が再生時に望むズーム倍率および画角と取得された画像のズーム倍率および画角とが一致しない可能性がある。また、これらが一致した場合であっても、取得された画像の画質が操作者の所望の画質でない可能性が高く、再生に関する操作性が低下する恐れがある。
【０００５】
それゆえに、この発明の主たる目的は、再生に関する操作性を高めることができる、電子カメラを提供することである。
【課題を解決するための手段】
【０００６】
この発明に従う電子カメラ(10：実施例で相当する参照符号。以下同じ)は、露光操作を受け付けたとき互いに異なる複数の露光量で撮像手段(16)を露光する第１露光手段(S55~S61)、第１露光手段の処理によって生成された複数の電子画像を撮像手段から取得する取得手段(S63~S65)、取得手段によって取得された複数の電子画像のいずれか１つを再生する再生手段(S71~S83, S95)、再生手段によって再生された電子画像の一部を指定する指定操作を受け付ける受け付け手段(S85)、および取得手段によって取得された複数の電子画像のうち指定操作によって指定された部分画像の明るさが適正値を示す電子画像を再生手段の対象として指定する指定手段(S89~S93)を備える。
【０００７】
好ましくは、第１露光手段によって注目される複数の露光量は基準露光量を含み、再生手段は基準露光量に対応する電子画像を初期的に再生する初期再生手段(S73~S77)を含む。
【０００８】
さらに好ましくは、露光操作に関わらず撮像手段を露光する第２露光手段(S23)、第２露光手段の処理によって生成された電子画像に基づいて露光条件を調整する調整手段(S29, S31)、および調整手段の調整結果に基づいて基準露光量を設定する設定手段(S47)をさらに備える。
【０００９】
好ましくは、指定操作によって指定された部分画像の位置およびサイズを指定手段の処理に関連して検出する検出手段(S87)をさらに備え、再生手段は指定手段によって指定された電子画像のうち検出手段によって検出された位置およびサイズによって定義される部分画像を再生する。
【００１０】
さらに好ましくは、再生手段は検出手段によって検出された位置およびサイズによって定義される部分画像を表示領域に対応する倍率で拡大表示する拡大手段(S95)を含む。
【００１１】
この発明に従う画像処理プログラムは、撮像手段(16)を備える電子カメラ(10)のプロセッサ(26)に、露光操作を受け付けたとき互いに異なる複数の露光量で撮像手段を露光する第１露光ステップ(S55~S61)、第１露光ステップの処理によって生成された複数の電子画像を撮像手段から取得する取得ステップ(S63~S65)、取得ステップによって取得された複数の電子画像のいずれか１つを再生する再生ステップ(S71~S83, S95)、再生ステップによって再生された電子画像の一部を指定する指定操作を受け付ける受け付けステップ(S85)、および取得ステップによって取得された複数の電子画像のうち指定操作によって指定された部分画像の明るさが適正値を示す電子画像を再生ステップの対象として指定する指定ステップ(S89~S93)を実行させるための、画像処理プログラムである。
【００１２】
この発明に従う画像処理方法は、撮像手段(16)を備える電子カメラ(10)によって実行される画像処理方法であって、露光操作を受け付けたとき互いに異なる複数の露光量で撮像手段を露光する第１露光ステップ(S55~S61)、第１露光ステップの処理によって生成された複数の電子画像を撮像手段から取得する取得ステップ(S63~S65)、取得ステップによって取得された複数の電子画像のいずれか１つを再生する再生ステップ(S71~S83, S95)、再生ステップによって再生された電子画像の一部を指定する指定操作を受け付ける受け付けステップ(S85)、および取得ステップによって取得された複数の電子画像のうち指定操作によって指定された部分画像の明るさが適正値を示す電子画像を再生ステップの対象として指定する指定ステップ(S89~S93)を備える。
【００１３】
この発明に従う外部制御プログラムは、撮像手段(16)、およびメモリ(44)に保存された内部制御プログラムに従う処理を実行するプロセッサ(26)を備える電子カメラ(10)に供給される外部制御プログラムであって、露光操作を受け付けたとき互いに異なる複数の露光量で撮像手段を露光する第１露光ステップ(S55~S61)、第１露光ステップの処理によって生成された複数の電子画像を撮像手段から取得する取得ステップ(S63~S65)、取得ステップによって取得された複数の電子画像のいずれか１つを再生する再生ステップ(S71~S83, S95)、再生ステップによって再生された電子画像の一部を指定する指定操作を受け付ける受け付けステップ(S85)、および取得ステップによって取得された複数の電子画像のうち指定操作によって指定された部分画像の明るさが適正値を示す電子画像を再生ステップの対象として指定する指定ステップ(S89~S93)を内部制御プログラムと協働してプロセッサに実行させるための、外部制御プログラムである。
【００１４】
この発明に従う電子カメラ(10)は、撮像手段(16)、外部制御プログラムを受信する受信手段(60)、および受信手段によって受信された外部制御プログラムとメモリ(44)に保存された内部制御プログラムとに従う処理を実行するプロセッサ(26)を備える電子カメラであって、外部制御プログラムは、露光操作を受け付けたとき互いに異なる複数の露光量で撮像手段を露光する第１露光ステップ(S55~S61)、第１露光ステップの処理によって生成された複数の電子画像を撮像手段から取得する取得ステップ(S63~S65)、取得ステップによって取得された複数の電子画像のいずれか１つを再生する再生ステップ(S71~S83, S95)、再生ステップによって再生された電子画像の一部を指定する指定操作を受け付ける受け付けステップ(S85)、および取得ステップによって取得された複数の電子画像のうち指定操作によって指定された部分画像の明るさが適正値を示す電子画像を再生ステップの対象として指定する指定ステップ(S89~S93)を内部制御プログラムと協働して実行するプログラムに相当する。
【発明の効果】
【００１５】
露光操作に応答して取得される複数の電子画像は互いに異なる明るさを有し、取得された複数の電子画像のいずれか１つが再生される。再生された電子画像の一部が指定操作によって指定されると、指定された部分画像の明るさが適正値を示す電子画像が代替的に再生される。これによって、再生に関する操作性が向上する。
【００１６】
この発明の上述の目的，その他の目的，特徴および利点は、図面を参照して行う以下の実施例の詳細な説明から一層明らかとなろう。
【図面の簡単な説明】
【００１７】
【図１】この発明の一実施例の基本的構成を示すブロック図である。
【図２】この発明の一実施例の構成を示すブロック図である。
【図３】撮像面における評価エリアの割り当て状態の一例を示す図解図である。
【図４】撮像面によって捉えられるシーンの一例を示す図解図である。
【図５】複数の取り込み画像の一例を示す図解図である。
【図６】図２実施例において参照されるテーブルの構成の一例を示す図解図である。
【図７】図２実施例において参照されるレジスタの構成の一例を示す図解図である。
【図８】（Ａ）は画像ファイルに付加されるタグの一例であり、（Ｂ）は（Ａ）に示すタグの一部の詳細の一例を示す図解図である。
【図９】（Ａ）はズームイン操作の一例を示す図解図であり、（Ｂ）はズームイン操作の他の一例を示す図解図である。
【図１０】ズームイン枠の一例を示す図解図である。
【図１１】ズームイン処理の一例を示す図解図である。
【図１２】ズームイン枠の他の一例を示す図解図である。
【図１３】ズームイン処理の他の一例を示す図解図である。
【図１４】ズームアウト枠の一例を示す図解図である。
【図１５】図２実施例に適用されるＣＰＵの動作の一部を示すフロー図である。
【図１６】図２実施例に適用されるＣＰＵの動作の他の一部を示すフロー図である。
【図１７】図２実施例に適用されるＣＰＵの動作のその他の一部を示すフロー図である。
【図１８】図２実施例に適用されるＣＰＵの動作のさらにその他の一部を示すフロー図である。
【図１９】図２実施例に適用されるＣＰＵの動作の他の一部を示すフロー図である。
【図２０】図２実施例に適用されるＣＰＵの動作のその他の一部を示すフロー図である。
【図２１】この発明の他の実施例の構成を示すブロック図である。
【発明を実施するための形態】
【００１８】
以下、この発明の実施の形態を図面を参照しながら説明する。
［基本的構成］
【００１９】
図１を参照して、この実施例の電子カメラは、基本的に次のように構成される。第１露光手段１は、露光操作を受け付けたとき互いに異なる複数の露光量で撮像手段を露光する。取得手段２は、第１露光手段１の処理によって生成された複数の電子画像を撮像手段から取得する。再生手段３は、取得手段２によって取得された複数の電子画像のいずれか１つを再生する。受け付け手段４は、再生手段３によって再生された電子画像の一部を指定する指定操作を受け付ける。指定手段５は、取得手段２によって取得された複数の電子画像のうち指定操作によって指定された部分画像の明るさが適正値を示す電子画像を再生手段３の対象として指定する。
【００２０】
露光操作に応答して取得される複数の電子画像は互いに異なる明るさを有し、取得された複数の電子画像のいずれか１つが再生される。再生された電子画像の一部が指定操作によって指定されると、指定された部分画像の明るさが適正値を示す電子画像が代替的に再生される。これによって、再生に関する操作性が向上する。
［実施例］
【００２１】
図２を参照して、この実施例のディジタルカメラ１０は、ドライバ１８ａおよび１８ｂによってそれぞれ駆動されるフォーカスレンズ１２および絞りユニット１４を含む。これらの部材を経たシーンの光学像は、イメージセンサ１６の撮像面に照射され、光電変換を施される。これによって、シーンを表す電荷が生成される。
【００２２】
電源が投入されると、ＣＰＵ２６は、キー入力装置２８に設けられたモード変更ボタン２８ｍｄの状態（つまり現時点の動作モード）をメインタスクの下で判別する。ＣＰＵ２６は、キー入力装置２８に設けられたモード設定スイッチ２８ｍｄによって通常撮影モードまたは露光ブラケット撮影モードが選択されているとき撮像タスクを起動し、同じモード設定スイッチ２８ｍｄによって再生モードが選択されているとき再生タスクを起動する。
【００２３】
撮像タスクが起動されるとＣＰＵ２６は、動画取り込み処理を実行するべく、撮像タスクの下で露光動作および電荷読み出し動作の繰り返しをドライバ１８ｃに命令する。ドライバ１８ｃは、図示しないＳＧ(Signal Generator)から周期的に発生する垂直同期信号Ｖｓｙｎｃに応答して、撮像面を露光し、かつ撮像面で生成された電荷をラスタ走査態様で読み出す。イメージセンサ１６からは、読み出された電荷に基づく生画像データが周期的に出力される。
【００２４】
信号処理回路２０は、イメージセンサ１６から出力された生画像データにディジタルクランプ，画素欠陥補正，ゲイン制御などの処理を施す。これらの処理を施された生画像データは、メモリ制御回路３０を通してＳＤＲＡＭ３２に書き込まれる。信号処理回路２０はさらに、ＳＤＲＡＭ３２に格納された生画像データをメモリ制御回路３０を通して読み出し、読み出された生画像データに色分離処理，白バランス調整処理，ＹＵＶ変換処理などの処理を施し、ＹＵＶ形式に従う表示画像データを作成する。表示画像データは、メモリ制御回路３０を通してＳＤＲＡＭ３２に書き込まれる。
【００２５】
ＬＣＤドライバ３６は、ＳＤＲＡＭ３２に格納された表示画像データをメモリ制御回路３０を通して繰り返し読み出し、読み出された画像データに基づいてＬＣＤモニタ３８を駆動する。この結果、シーンを表すリアルタイム動画像（スルー画像）がＬＣＤモニタ３８に表示される。
【００２６】
ＣＰＵ２６はまた、ドライバ１８ａを通して、初期設定位置であるパンフォーカス位置にフォーカスレンズ１２を配置する。
【００２７】
図３を参照して、撮像面の中央には評価エリアＥＶＡが割り当てられる。評価エリアＥＶＡは水平方向および垂直方向の各々において１６分割され、２５６個の分割エリアが評価エリアＥＶＡを形成する。また、信号処理回路２０は、上述した処理に加えて、生画像データを簡易的にＲＧＢデータに変換する簡易ＲＧＢ変換処理を実行する。
【００２８】
ＡＥ評価回路２２は、信号処理回路２０によって生成されたＲＧＢデータのうち評価エリアＥＶＡに属するＲＧＢデータを、垂直同期信号Ｖｓｙｎｃが発生する毎に積分する。これによって、２５６個の積分値つまり２５６個のＡＥ評価値が、垂直同期信号Ｖｓｙｎｃに応答してＡＥ評価回路２２から出力される。ＡＦ評価回路２４は、信号処理回路２０によって生成されたＲＧＢデータのうち評価エリアＥＶＡに属するＲＧＢデータの高周波成分を、垂直同期信号Ｖｓｙｎｃが発生する毎に積分する。これによって、２５６個の積分値つまり２５６個のＡＦ評価値が、垂直同期信号Ｖｓｙｎｃに応答してＡＦ評価回路２４から出力される。
【００２９】
シャッタボタン２８ｓｈが非操作状態のときＣＰＵ２６は、ＡＥ評価回路２２からの出力に基づく簡易ＡＥ処理を実行し、適正なＥＶ値を算出する。簡易ＡＥ処理は動画取り込み処理と並列して実行され、算出されたＥＶ値を定義する絞り量および露光時間はドライバ１８ｂおよび１８ｃにそれぞれ設定される。この結果、スルー画像の明るさが適度に調整される。
【００３０】
シャッタボタン２８ｓｈが半押しされると、ＣＰＵ２６は、ＡＥ評価回路２２からの出力に基づく厳格ＡＥ処理を実行する。厳格ＡＥ処理によって算出されたＥＶ値を定義する絞り量および露光時間は、ドライバ１８ｂおよび１８ｃにそれぞれ設定される。この結果、スルー画像の明るさが厳密に調整される。
【００３１】
厳格ＡＥ処理が完了すると、ＣＰＵ２６は、ＡＦ評価回路２４からの出力に基づく厳格ＡＦ処理を実行する。この結果、合焦点にフォーカスレンズ１２が配置され、スルー画像の鮮鋭度が向上する。
【００３２】
シャッタボタン２８ｓｈが全押しされたとき、モード設定スイッチ２８ｍｄによって通常撮影モードが選択されていた場合、ＣＰＵ２６は、撮像タスクの下で静止画取り込み処理および記録処理を実行する。シャッタボタン２８ｓｈが全押しされた時点の１フレームの画像データは、静止画取り込み処理によってＳＤＲＡＭ３２に取り込まれる。取り込まれた１フレームの画像データは、記録処理に関連して起動したＩ／Ｆ４０によってＳＤＲＡＭ３２から読み出され、ファイル形式で記録媒体４２に記録される。
【００３３】
一方、シャッタボタン２８ｓｈが全押しされたとき、モード設定スイッチ２８ｍｄによって露光ブラケット撮影モードが選択されていた場合、ＣＰＵ２６は、露光ブラケット撮影のための各処理を以下の要領で実行する。
【００３４】
露光ブラケット撮影は、露光設定を少しずつ変更しながら連続して静止画取り込み処理を実行することによって、互いに明るさが異なる複数の画像データを取得する撮影方法である。
【００３５】
例えば、図４に示す例のシーンに対して露光設定を変更しながら静止画取り込み処理を１１回行う場合、図５に示す１１個のフレーム画像ＦＲ１〜ＦＲ１１が得られる。図５に示す例によると、厳格ＡＥ処理によって算出されたＥＶ値が示す露光設定に基づいて、フレーム画像ＦＲ６が取得される。また、フレーム画像ＦＲ７〜１１は、フレーム画像ＦＲ６のＥＶ値を漸増的に変更した露光設定に基づいて取得される画像を示し、フレーム画像ＦＲ５〜１は、フレーム画像ＦＲ６のＥＶ値を漸減的に変更した露光設定に基づいて取得される画像を示す。
【００３６】
図４および５を参照して、画像中央に重きを置いた厳格ＡＥ処理によって、画像中央付近が適正な明るさとなるようにＥＶ値が算出された。この結果、フレーム画像ＦＲ６において、画像中央に近い家屋ＨＳが適正な明るさとなっている。
【００３７】
露光設定をプラス側に最も大きく変更して取得されたフレーム画像ＦＲ１１においては、フレーム画像ＦＲ６において明るさが適正な家屋ＨＳは、露光オーバー状態である。しかし、フレーム画像ＦＲ６において露光アンダー状態であった樹木ＷＤは、フレーム画像ＦＲ１１において明るさが適正である。
【００３８】
露光設定をマイナス側に最も大きく変更して取得されたフレーム画像ＦＲ１においては、フレーム画像ＦＲ６において明るさが適正な家屋ＨＳは、露光アンダー状態である。しかし、フレーム画像ＦＲ６において露光オーバー状態であった雲ＣＤは、フレーム画像ＦＲ１において明るさが適正である。
【００３９】
このような露光ブラケット撮影のために、図６に示すテーブルＴＢＬ１が準備される。テーブルＴＢＬ１には、厳格ＡＥ処理によって算出されたＥＶ値を補正する大きさを示すＥＶ補正値が、露光ブラケット撮影において実行される撮影回数の数だけ収められる。なお、テーブルＴＢＬ１はフラッシュメモリ４４に保存される。
【００４０】
ＣＰＵ２６はまず、厳格ＡＥ処理によって算出されたＥＶ値とテーブルＴＢＬ１に収められた複数のＥＶ補正値とに基づいて、各々が撮影毎の露光設定を示す複数のＥＶ値を算出する。算出された複数のＥＶ値は、図７に示すレジスタＲＧＳＴ１に登録される。
【００４１】
ＣＰＵ２６は次に、露光ブラケット撮影によって取得された複数の画像データを格納するための露光ブラケット画像ファイルを、記録媒体４２に作成する。ＣＰＵ２６はまた、露光ブラケット画像ファイルのヘッダに記述されるタグを作成する。図８（Ａ）を参照して、露光ブラケット画像ファイルにおいては、通常撮影の画像ファイルのタグの他に、“露光ブラケット撮影マーカ”，“画像数”，“代表画像番号”，および“露光情報”の４つのタグが作成される。
【００４２】
“露光ブラケット撮影マーカ”は露光ブラケット画像ファイルであることを記述するためのタグであり、“画像数”はファイルに格納する画像数を記述するためのタグである。“代表画像番号”はファイルに格納される複数の画像のうち代表とする画像の番号を記述するためのタグであり、“露光情報”はファイルに格納される各々の画像の取得時の露光設定を記述するためのタグである。
【００４３】
例えば、１１個の画像を露光ブラケット画像ファイルに格納する場合は、画像数タグには“１１”が記述される。また、図５に示す例においてフレーム画像を識別する数字が取得順を示す場合、厳格ＡＥ処理による露光設定に基づいて取得されたフレーム画像ＦＲ６が代表画像とされ、代表画像番号タグには“６”が記述される。
【００４４】
図８（Ｂ）を参照して、露光情報タグはファイルに格納される画像の数だけ作成される。各々の露光情報タグには、レジスタＲＧＳＴ１に登録されたＥＶ値を記述してもよいし、ＥＶ値を定義する絞り量および露光時間を記述してもよい。
【００４５】
ＣＰＵ２６は、レジスタＲＧＳＴ１に登録された複数のＥＶ値を順に読み出して、各々のＥＶ値に対して静止画取り込み処理およびファイル記録処理を以下の要領で実行する。レジスタＲＧＳＴ１から読み出されたいずれかのＥＶ値を定義する絞り量および露光時間が、ドライバ１８ｂおよび１８ｃにそれぞれ設定される。設定完了後の最初の垂直同期信号Ｖｓｙｎｃの発生を待って、ＣＰＵ２６は静止画取り込み処理を実行する。この結果、絞り量および露光時間の変更が反映された直後の１フレームの画像データが、静止画取り込み処理によってＳＤＲＡＭ３２に取り込まれる。取り込まれた１フレームの画像データは、Ｉ／Ｆ４０によってＳＤＲＡＭ３２から読み出され、記録媒体４２に作成された露光ブラケット画像ファイルに記録される。
【００４６】
このようにして露光ブラケット撮影が完了すると、ＣＰＵ２６は、シャッタボタン２８ｓｈの非操作状態に戻って、簡易ＡＥ処理を繰り返し実行する。
【００４７】
再生タスクが起動されると、ＣＰＵ２６は、記録媒体４２に記録された最新の画像ファイルを再生タスクの下で指定し、指定画像ファイルのタグを読み出す。読み出されたタグ情報のうち露光ブラケット撮影マーカの記述に基づいて、ＣＰＵ２６は、指定画像ファイルが上述のように作成された露光ブラケット画像ファイルであるか否かを判別する。
【００４８】
指定画像ファイルが通常撮影によって作成された画像ファイルであった場合、ＣＰＵ２６は、指定画像ファイルに格納された画像データをＬＣＤモニタ３８において再生する。指定画像ファイルが露光ブラケット画像ファイルであった場合は、ＣＰＵ２６は、読み出されたタグ情報のうち代表画像番号の記述に基づいて、ファイルに格納された複数の画像データの中から代表画像データを選択し、ＬＣＤモニタ３８において再生する。
【００４９】
一方、操作者は、再生タスクの実行中にキー入力装置２８を通じて拡大および縮小のズーム操作を行うことができる。
【００５０】
ズームイン操作は、例えば図９（Ａ）を参照して、操作者がキー入力装置２８を通じてズームイン枠ＦＮの左上位置ＰＳを指定した上で右下位置ＰＥを指定することによって、行われる。操作者は、左上位置ＰＳを画像内で自由に指定できる一方、画像のアスペクト比を維持するための直線ＳＬ上で右下位置ＰＥを自由に指定できる。この場合、右下位置ＰＥ１が指定されるとズームイン枠ＦＮ１が定められ、右下位置ＰＥ２が指定されるとズームイン枠ＦＮ２が定められる。
【００５１】
ズームイン操作はまた、図９（Ｂ）を参照して、ズームイン枠ＦＮの中心位置ＰＣを指定することによって行われるようにしてもよい。この場合、ズームイン枠ＦＮの大きさは、例えば縦および横の長さが画像全体の縦および横の長さのそれぞれ０．５倍とするなど、固定にすればよい。また、ズームイン枠ＦＮが画像の範囲内に収まるように中心位置ＰＣを既定の範囲内で指定できるようにしてもよいし、画像内で中心位置ＰＣを画像内で自由に指定した後にズームイン枠ＦＮの位置を調整するようにしてもよい。
【００５２】
このようなズームイン操作が操作者によって行われると、ＣＰＵ２６は、ズーム表示の処理を以下の要領で実行する。
【００５３】
ＣＰＵ２６は、ズームイン枠ＦＮによって示される範囲の適正なＥＶ値を算出する。ＣＰＵ２６は次に、算出されたＥＶ値に最も近いＥＶ値で撮影された画像データを、読み出されたタグ情報のうち露光情報の記述に基づいて、再生中の露光ブラケット画像ファイルに格納された複数の画像データの中から選択する。
【００５４】
図１０を参照して、再生中のフレーム画像ＦＲ６（図５）においてズームイン枠ＦＮによって示される範囲は、樹木ＷＤが殆どを占めており、逆光によって露光アンダー状態である。一方、例えば図５に示すフレーム画像ＦＲ１１では、樹木ＷＤの明るさが適正である。したがってこの場合、フレーム画像ＦＲ１１が選択される。
【００５５】
ＣＰＵ２６は次に、選択画像のうちズームイン枠ＦＮによって示される範囲を当該範囲がＬＣＤモニタ３８の表示領域と一致する倍率で拡大表示する。したがって、図１０に示す例によると、ズーム表示によって図１１に示す画像がＬＣＤモニタ３８に表示される。また、適正な明るさの拡大表示によって、ズーム操作前には視認できなかった鳥ＢＤを操作者はＬＣＤモニタ３８上で視認することができる。
【００５６】
図１２を参照して、再生中のフレーム画像ＦＲ６（図５）においてズームイン枠ＦＮによって示される範囲は、雲ＣＤが殆どを占めており、太陽光によって露光オーバー状態である。一方、例えば図５に示すフレーム画像ＦＲ１では、雲ＣＤの明るさが適正である。したがってこの場合、フレーム画像ＦＲ１が選択される。この場合、ズーム表示によって図１３に示す画像がＬＣＤモニタ３８に表示される。また、適正な明るさの拡大表示によって、ズーム操作前には視認できなかった飛行機ＡＰを操作者はＬＣＤモニタ３８上で視認することができる。
【００５７】
図１４を参照して、ズームイン表示後のズームアウト操作によるズーム表示の処理は、表示中の範囲を中心に既定の大きさのズームアウト枠ＦＴを定めるようにすればよい。この場合、ズームアウト枠ＦＴの大きさを例えば縦および横の長さが画像全体の縦および横の長さのそれぞれ０．５倍として、ズームアウト枠ＦＴが画像の範囲内に収まるように位置を調整すればよい。このようにしてズームアウト枠ＦＴを定めた上で、ＣＰＵ２６は、上述のズームイン操作の場合と同様に、ズームアウト枠ＦＴによって示される範囲の適正なＥＶ値を算出し、算出されたＥＶ値に基づいて画像データを選択する。選択画像データの画像のうちズームアウト枠ＦＴによって示される範囲は、当該範囲がＬＣＤモニタ３８の表示領域と一致する倍率で拡大表示される。
【００５８】
なお、縦および横の長さが画像全体の縦および横の長さのそれぞれ０．５倍よりも大きい範囲をズームイン表示中にズームアウト操作が行われた場合は、代表画像データの再生に戻るようにすればよい。
【００５９】
ＣＰＵ２６は、図１５に示すメインタスク，図１６〜１８に示す撮像タスク，および図１９〜図２０に示す再生タスクを含む複数のタスクを並列的に実行する。なお、これらのタスクに対応する制御プログラムは、フラッシュメモリ４４に記憶される。
【００６０】
図１５を参照して、ステップＳ１では現時点の動作モードが通常撮影モードまたは露光ブラケット撮影モードであるか否かを判別し、ステップＳ３では現時点の動作モードが再生モードであるか否かを判別する。ステップＳ１でＹＥＳであればステップＳ５で撮像タスクを起動し、ステップＳ３でＹＥＳであればステップＳ７で再生タスクを起動する。ステップＳ１およびＳ３のいずれもＮＯであればステップＳ９でその他の処理を実行する。ステップＳ５〜Ｓ９のいずれかの処理が完了すると、モード切り換え操作が行われたか否かをステップＳ１１で繰り返し判別する。判別結果がＮＯからＹＥＳに更新されると、起動中のタスクをステップＳ１３で停止し、その後にステップＳ１に戻る。
【００６１】
図１６を参照して、ステップＳ２１では変数Ｎの最大値Ｎｍａｘを“１１”に設定し、ステップＳ２３では動画取り込み処理を開始する。この結果、スルー画像がＬＣＤモニタ３８に表示される。ステップＳ２５では、ドライバ１８ａを通して、初期設定位置であるパンフォーカス位置にフォーカスレンズ１２を配置する。
【００６２】
ステップＳ２７ではシャッタボタン２８ｓｈが半押しされたか否かを判別し、判別結果がＮＯの間はステップＳ２９で簡易ＡＥ処理を実行する。この結果、スルー画像の明るさが適度に調整される。
【００６３】
判別結果がＮＯからＹＥＳに更新されると、ステップＳ３１では厳格ＡＥ処理を実行する。この結果、スルー画像の明るさが厳密に調整される。ステップＳ３３では厳格ＡＦ処理を実行する。この結果、合焦点にフォーカスレンズ１２が配置され、スルー画像の鮮鋭度が向上する。
【００６４】
ステップＳ３５ではシャッタボタン２８ｓｈが全押しされたか否かを判別し、判別結果がＮＯであればシャッタボタン２８ｓｈの半押し状態が解除されたか否かをステップＳ３７で判別する。ステップＳ３７の判別結果がＮＯであればステップＳ３５に戻る一方、ステップＳ３７の判別結果がＹＥＳであればステップＳ２５に戻る。
【００６５】
ステップＳ３５の判別結果がＹＥＳであれば、現時点の動作モードが露光ブラケット撮影モードであるか否かをステップＳ３９で判別する。ステップＳ３９の判別結果がＮＯであれば、ステップＳ４１およびＳ４３で静止画取り込み処理および記録処理をそれぞれ実行する。シャッタボタン２８ｓｈが全押しされた時点の１フレームの画像データは、静止画取り込み処理によってＳＤＲＡＭ３２に取り込まれる。取り込まれた１フレームの画像データは、記録処理に関連して起動したＩ／Ｆ４０によってＳＤＲＡＭ３２から読み出され、ファイル形式で記録媒体４２に記録される。ステップＳ４３の処理が完了すると、ステップＳ２５に戻る。
【００６６】
ステップＳ３９の判別結果がＹＥＳであれば、露光ブラケット画像ファイルの代表画像番号をステップＳ４５で決定する。代表画像番号は、例えば、厳格ＡＥ処理による露光設定に基づいて取得されたフレーム画像の番号とする。
【００６７】
ステップＳ４７では、厳格ＡＥ処理によって算出されたＥＶ値およびテーブルＴＢＬ１に収められた複数のＥＶ補正値に基づいて、ブラケット撮影の各々の静止画取り込み時に設定すべきＥＶ値を決定する。決定された複数のＥＶ値はレジスタＲＧＳＴ１に登録される。ステップＳ４９では、記録媒体４２に露光ブラケット画像ファイルを作成する。
【００６８】
ステップＳ５１では、露光ブラケット画像ファイルのヘッダに記述されるタグを作成する。露光ブラケット画像ファイルにおいては、通常撮影の画像ファイルのタグの他に、“露光ブラケット撮影マーカ”，“画像数”，“代表画像番号”，および“露光情報”の４つのタグが作成される。
【００６９】
ステップＳ５３では変数Ｎを“１”に設定し、ステップＳ５５ではレジスタＲＧＳＴ１に登録されたＮ番目のＥＶ値を読み出す。読み出されたＥＶ値を定義する絞り量および露光時間を、ステップＳ５７でドライバ１８ｂに、ステップＳ５９でドライバ１８ｃに、それぞれ設定する。
【００７０】
ステップＳ６１では垂直同期信号Ｖｓｙｎｃが発生したか否かを繰り返し判別し、判別結果がＮＯからＹＥＳに更新されると、ステップＳ６３で静止画取り込み処理を実行する。この結果、絞り量（ステップＳ５７）および露光時間（ステップＳ５９）の変更が反映された直後の１フレームの画像データが、静止画取り込み処理によってＳＤＲＡＭ３２に取り込まれる。
【００７１】
ステップＳ６５では、ステップＳ６３で取り込まれた画像データをステップＳ４９で作成された露光ブラケット画像ファイルに記録する。
【００７２】
ステップＳ６７では変数Ｎをインクリメントし、ステップＳ６９では変数ＮがＮｍａｘを超えたか否かを判別する。判別結果がＮＯであればステップＳ５５に戻り、判別結果がＹＥＳであればステップＳ２５に戻る。
【００７３】
図１９を参照して、ステップＳ７１では変数Ｐに最新の画像ファイルを示す番号を設定し、ステップＳ７３では記録媒体４２に記録されているＰ番目の画像ファイルのタグを読み出す。読み出されたタグ情報のうち露光ブラケット撮影マーカの記述に基づいて、Ｐ番目の画像ファイルが露光ブラケット画像ファイルであるか否かをステップＳ７５で判別する。判別結果がＮＯであればステップＳ７９に進む一方、判別結果がＹＥＳであればステップＳ７７の処理を経てステップＳ７９に進む。
【００７４】
ステップＳ７３で読み出されたタグ情報のうち代表画像番号の記述に基づいて、露光ブラケット画像ファイルに格納された複数の画像データの中から代表画像データをステップＳ７７で選択する。ステップＳ７９では、ステップＳ７７で選択された代表画像データまたは通常の画像ファイルに格納された画像データを、ＬＣＤモニタ３８において再生する。
【００７５】
ステップＳ８１では操作者による再生ファイルを更新する操作があったか否かを判別し、判別結果がＹＥＳであれば、ステップＳ８３で変数Ｐをインクリメントまたはデクリメントして、ステップＳ７３に戻る。判別結果がＮＯであれば、ステップＳ８５に進む。
【００７６】
ステップＳ８５では、キー入力装置２８を通じてズーム操作が行われたかを判別する。判別結果がＮＯであればステップＳ８１に戻る一方、判別結果がＹＥＳであればズーム操作によって指定された範囲をステップＳ８７で検出する。
【００７７】
ステップＳ８９では、ステップＳ７３で読み出されたタグ情報のうち露光ブラケット撮影マーカの記述に基づいて、再生中の画像ファイルが露光ブラケット画像ファイルであるか否かを判別する。判別結果がＮＯであればステップＳ９５に進む一方、判別結果がＹＥＳであればステップＳ９１およびＳ９３の処理を経てステップＳ９３に進む。
【００７８】
ステップＳ９１では、ステップＳ８７で検出された範囲の適正なＥＶ値を算出する。算出されたＥＶ値に最も近いＥＶ値で撮影された画像データを、ステップＳ７３で読み出されたタグ情報のうち露光情報の記述に基づいて、再生中の露光ブラケット画像ファイルに格納された複数の画像データの中からステップＳ９３で選択する。
【００７９】
ステップＳ９５では、ステップＳ９３で選択された画像データまたは通常の画像ファイルに格納された画像データの画像のうちステップＳ８７で検出された範囲を、当該範囲がＬＣＤモニタ３８の表示領域と一致する倍率で拡大表示する。ステップＳ９５の処理が完了すると、ステップＳ８１に戻る。
【００８０】
以上の説明から分かるように、ＣＰＵ２６は、露光操作を受け付けたとき互いに異なる複数の露光量でイメージセンサ１６を露光し、生成された複数の電子画像をイメージセンサ１６から取得する。ＣＰＵ２６はまた、取得された複数の電子画像のいずれか１つを再生する。ＣＰＵ２６は、再生された電子画像の一部を指定するズーム操作を受け付け、取得された複数の電子画像のうちズーム操作によって指定された部分画像の明るさが適正値を示す電子画像を再生処理の対象として指定する。
【００８１】
露光操作に応答して取得される複数の電子画像は互いに異なる明るさを有し、取得された複数の電子画像のいずれか１つが再生される。再生された電子画像の一部がズーム操作によって指定されると、指定された部分画像の明るさが適正値を示す電子画像が代替的に再生される。これによって、再生に関する操作性が向上する。
【００８２】
なお、この実施例では、露光ブラケット画像ファイルに１１個の画像データが格納されるようにしたが、１１個以外の複数の画像データが格納されるようにしてもよい。
【００８３】
また、この実施例では、テーブルＴＢＬ１には、厳格ＡＥ処理によって算出されたＥＶ値を基準として、プラス側およびマイナス側の各々に等しい補正量で同数のＥＶ補正値を収めるようにした。しかし、プラス側およびマイナス側の各々で補正量を変えてもよいし、プラス側およびマイナス側のＥＶ補正値の割合を異なるようにしてもよい。
【００８４】
また、この実施例では、ディジタルスチルカメラを用いて説明したが、本発明は、ディジタルビデオカメラ，タブレット型コンピュータ，携帯電話端末またはスマートフォンなどにも適用することができる。
【００８５】
また、この実施例では、マルチタスクＯＳおよびこれによって実行される複数のタスクに相当する制御プログラムは、フラッシュメモリ４４に予め記憶される。しかし、外部サーバに接続するための通信Ｉ／Ｆ６０を図２１に示す要領でディジタルカメラ１０に設け、一部の制御プログラムを内部制御プログラムとしてフラッシュメモリ４４に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００８６】
また、この実施例では、ＣＰＵ２６によって実行される処理を、図１５に示すメインタスク，図１６〜１８に示す撮像タスク，および図１９〜２０に示す再生タスクを含む複数のタスクに区分するようにした。しかし、これらのタスクをさらに複数の小タスクに区分してもよく、さらには区分された複数の小タスクの一部を統合するようにしてもよい。また、転送タスクを複数の小タスクに区分する場合、その全部または一部を外部サーバから取得するようにしてもよい。
【符号の説明】
【００８７】
１０  …  ディジタルカメラ
１６  …  イメージセンサ
２２  …  ＡＥ評価回路
２６  …  ＣＰＵ
２８  …  キー入力装置
３８  …  ＬＣＤモニタ
４２  …  記録媒体
【図１】
2014007560.tif 000003
【図２】
2014007560.tif 000004
【図３】
2014007560.tif 000005
【図４】
2014007560.tif 000006
【図５】
2014007560.tif 000007
【図６】
2014007560.tif 000008
【図７】
2014007560.tif 000009
【図８】
2014007560.tif 000010
【図９】
2014007560.tif 000011
【図１０】
2014007560.tif 000012
【図１１】
2014007560.tif 000013
【図１２】
2014007560.tif 000014
【図１３】
2014007560.tif 000015
【図１４】
2014007560.tif 000016
【図１５】
2014007560.tif 000017
【図１６】
2014007560.tif 000018
【図１７】
2014007560.tif 000019
【図１８】
2014007560.tif 000020
【図１９】
2014007560.tif 000021
【図２０】
2014007560.tif 000022
【図２１】
2014007560.tif 000023